(57)【要約】【課題】トレイに載置されたシートを円滑に給送することができる給送装置を提供する。【解決手段】給送装置は、複数の記録用紙１２が重畳して載置される底板７５を有する給送トレイ２０と、底板７５に載置された記録用紙１２を給送向き１７に給送する給送部２８と、給送部２８よりも給送向き１７の下流側に配置されており、給送向き１７の下流側が上流側よりも上方となるよう傾斜する傾斜面３９を有する傾斜部３３と、傾斜面３９から一部が露出するように配置されており、給送向き１７に給送される記録用紙１２と当接することによって回転する複数の給送コロ３４と、を備える。給送コロ３４は、左右方向９に沿った軸４５を中心に回転するものであり、左右方向９において間隔を空けて複数設けられており、搬送向き１６において間隔を空けて複数設けられている。【選択図】図３
2014118248.tif 000002
【特許請求の範囲】
【請求項１】
複数のシートが重畳して載置される載置部を有するトレイと、
上記載置部に載置されたシートを給送向きに給送する給送部と、
上記給送部よりも上記給送向きの下流側に配置されており、上記給送向きの下流側が上流側よりも上方となるよう傾斜する傾斜面を有する傾斜部と、
上記傾斜面から一部が露出するように配置されており、上記給送向きに給送されるシートと当接することによって回転する複数の給送コロと、を備え、
上記給送コロは、上記給送向きと直交し且つ上記傾斜面に沿った幅方向に沿った軸を中心に回転するものであり、上記幅方向において間隔を空けて複数設けられており、上記給送部によって上記給送向きに給送されたシートが上記傾斜面に沿って案内される案内向きにおいて間隔を空けて複数設けられている給送装置。
【請求項２】
上記傾斜面は、上記幅方向の中央部が上記幅方向の端部よりも上記給送向きの上流側に位置するように湾曲している請求項１に記載の給送装置。
【請求項３】
上記給送コロの軸は、上記傾斜面における当該給送コロの配置位置の接面に沿って延びている請求項１または２に記載の給送装置。
【請求項４】
上記トレイが挿抜される筐体を更に備え、
上記トレイは、上記載置部における上記給送向きの下流側の端部位置から上向きに突出された少なくとも１つの突出部を備え、
上記傾斜部は、上記筐体において、上記トレイが上記筐体に挿入された状態において上記トレイの上記給送向きの下流端部に近接する位置に設けられており、
上記傾斜面には、上記突出部が収容される収容部が形成されており、
複数の上記給送コロは、上記幅方向において上記収容部を挟む位置に配置されている請求項１から３のいずれかに記載の給送装置。
【請求項５】
上記傾斜面に配置されており、上記給送部によって上記給送向きに給送されたシートのうち最上のシートを他のシートから分離する分離部を更に備え、
上記収容部は、上記幅方向における上記分離部の左右両側に配置されており、
複数の上記給送コロは、上記幅方向において上記分離部及び上記収容部の各々を挟む位置に配置されている請求項４に記載の給送装置。
【請求項６】
上記傾斜面に配置されており、上記給送部によって上記給送向きに給送されたシートのうち最上のシートを他のシートから分離する分離部を更に備え、
複数の上記給送コロは、上記幅方向において上記分離部を挟む位置に配置されている請求項１から４のいずれかに記載の給送装置。
【請求項７】
上記分離部は、上記幅方向において間隔を空けて複数配置されている請求項６に記載の給送装置。
【請求項８】
上記給送部は、
上記載置部に当接する給送ローラと、
上記給送ローラを回転可能に支持する支持部と、
上記給送ローラよりも上記載置部における上記給送向きの上流側に設けられており、上記支持部を、上記給送ローラが上記載置部に対して接離する方向に揺動可能に支持する軸部と、を備え、
上記給送コロは、上記載置部に載置可能な最大数のシートが上記載置部に重畳して載置されている場合における当該最大数のシートの最高位置よりも下側に、少なくとも１個設けられている請求項１から７のいずれかに記載の給送装置。
【請求項９】
上記傾斜面における複数の上記給送コロの各々の下側に近接する位置には、上記給送コロに近い程に上記傾斜面から大きく突出するように傾斜するリブが設けられており、
上記案内向きの下流側に配置されている上記給送コロに対応する上記リブは、上記案内向きの上流側に配置されている上記給送コロに対応する上記リブよりも、上記幅方向の長さが長い請求項８に記載の給送装置。
【請求項１０】
上記案内向きの上流側に配置された上記給送コロは、上記案内向きの下流側に配置された上記給送コロと、上記幅方向において同じ位置に配置されている請求項１から９のいずれかに記載の給送装置。
【請求項１１】
上記トレイが挿抜される筐体を更に備え、
上記傾斜部は、取付部を備え、当該取付部によって上記筐体に取り付けられており、
上記取付部は、上記幅方向において上記給送コロを挟む位置に形成されている請求項１から１０のいずれかに記載の給送装置。
【請求項１２】
上記給送部によって上記給送向きに給送されたシートを案内する搬送路を形成する経路部材と、
上記搬送路に設けられており、上記幅方向において複数の上記給送コロの配置範囲よりも外側まで連続して延設されており、上記給送部によって上記給送向きに給送されたシートを搬送向きに搬送する搬送ローラと、
上記搬送ローラよりも上記搬送向きの上流側の上記経路部材に一部が上記搬送路に露出するように配置されており、上記搬送路を案内されるシートと当接することによって回転する複数の搬送コロと、を更に備え、
上記搬送コロの少なくとも一部は、上記幅方向において上記給送コロが配置されている範囲の両外側に配置されており、
上記搬送コロの全ては、上記幅方向において上記搬送ローラが配置されている範囲よりも内側に配置されている請求項１から１１のいずれかに記載の給送装置。
【請求項１３】
上記給送部によって上記給送向きに給送されたシートを案内する湾曲された搬送路を形成する湾曲経路部材と、
上記搬送路に設けられており、正逆転可能であり、正転または逆転することによって上記給送向きに給送されたシートを搬送向きに搬送する搬送ローラと、を更に備える請求項１から１２のいずれかに記載の給送装置。
【請求項１４】
上記給送部は、上記載置部に当接する給送ローラを備え、
上記給送ローラは、上記幅方向において上記給送コロが配置されている範囲の内側に配置されている請求項１から１３のいずれかに記載の給送装置。
【発明の詳細な説明】
【技術分野】
【０００１】
本発明は、シートを載置可能なトレイを有し、トレイからシートを給送可能な給送装置に関する。
【背景技術】
【０００２】
従来より、複数枚のシートを重畳して載置可能なトレイを有し、トレイからシートを画像記録装置などの装置本体に給送可能な給送装置が知られている。
【０００３】
多くの給送装置において、トレイに載置されたシートは、トレイの上方に設けられた給送部によって、トレイの端部から傾斜された壁部に沿って装置本体に給送される。なお、壁部は、トレイに設けられていてもよいし、装置本体に設けられていてもよい。壁部がトレイに設けられている場合、壁部は、例えば、トレイの端部から立設されている。また、壁部が装置本体に設けられている場合、壁部は、例えば、トレイが装置本体に装着された状態においてトレイの端部と近接して配置されている。
【０００４】
上記のように壁部が傾斜されている場合、トレイから給送されるシートが壁部の傾斜された面に貼り付いてしまうことがある。この貼り付きが生じると、壁部とシートとの摩擦力が増大するために給送部による給送が正常に行えずに給送不良が発生してしまう。
【０００５】
このような問題を解決するために、特許文献１には、トレイに設けられた壁部にコロが配置された給紙装置が開示されている。壁部にコロが設けられていることによって、トレイに載置されたシートは、壁部の表面に沿って円滑に案内される。
【先行技術文献】
【特許文献】
【０００６】
【特許文献１】特開２００７−９１４２９号公報
【発明の概要】
【発明が解決しようとする課題】
【０００７】
しかしながら、特許文献１に開示された給紙装置では、コロは、シートの給送方向と直交する幅方向に１列のみ設けられているために、以下の問題が生じてしまう。つまり、トレイに載置されているシートが光沢紙やハガキなどの厚紙の場合、トレイから給送されたシートは、普通紙よりも強い力で且つ広範囲に亘って壁部の表面に押しつけられる。そうすると、壁部に幅方向に沿って１列のみ設けられたコロは、壁部の表面に押しつけられたシートに対して幅方向に沿った線状で当接するため、当該シートを壁部の表面から完全に離間させることができない。
【０００８】
その結果、壁部とシートとの間の摩擦力が増大するために給送部による給送が正常に行えずに給送不良が発生してしまうという上記の問題が、コロを設けているにもかかわらず発生してしまう。
【０００９】
本発明は、上記問題に鑑みてなされたものであり、その目的は、トレイに載置されたシートを円滑に給送することができる手段を提供することにある。
【課題を解決するための手段】
【００１０】
(1)  本発明に係る給送装置は、複数のシートが重畳して載置される載置部を有するトレイと、上記載置部に載置されたシートを給送向きに給送する給送部と、上記給送部よりも上記給送向きの下流側に配置されており、上記給送向きの下流側が上流側よりも上方となるよう傾斜する傾斜面を有する傾斜部と、上記傾斜面から一部が露出するように配置されており、上記給送向きに給送されるシートと当接することによって回転する複数の給送コロと、を備える。上記給送コロは、上記給送向きと直交し且つ上記傾斜面に沿った幅方向に沿った軸を中心に回転するものであり、上記幅方向において間隔を空けて複数設けられており、上記給送部によって上記給送向きに給送されたシートが上記傾斜面に沿って案内される案内向きにおいて間隔を空けて複数設けられている。
【００１１】
本構成によれば、複数の給送コロの配置範囲が幅方向及び案内向きに沿った平面に拡がっている。そのため、複数の給送コロは、シートを平面で支持することができる。よって、本構成によれば、シートが傾斜部の傾斜面に貼り付く可能性を低くすることができる。その結果、シートの給送不良が発生する可能性を低くすることができる。
【００１２】
(2)  上記傾斜面は、上記幅方向の中央部が上記幅方向の端部よりも上記給送向きの上流側に位置するように湾曲している。
【００１３】
本構成によれば、給送されて傾斜部に到達したシートは、幅方向に湾曲した傾斜面の一部とのみ、例えば幅方向の中央部とのみ当接する。その結果、シートが傾斜面を案内向きに送られる際に、シートが傾斜部から受ける抵抗を小さくすることができる。
【００１４】
(3)  上記給送コロの軸は、上記傾斜面における当該給送コロの配置位置の接面に沿って延びている。
【００１５】
本構成によれば、給送されて傾斜部に到達したシートは、幅方向において間隔を空けて配置された複数の給送コロの一部とのみ、例えば幅方向の中央部に配置された給送コロとのみ当接する。その結果、シートが傾斜面を案内向きに給送される際に、シートが傾斜部から受ける抵抗を小さくすることができる。
【００１６】
(4)  本発明に係る給送装置は、上記トレイが挿抜される筐体を更に備える。上記トレイは、上記載置部における上記給送向きの下流側の端部位置から上向きに突出された少なくとも１つの突出部を備える。上記傾斜部は、上記筐体において、上記トレイが上記筐体に挿入された状態において上記トレイの上記給送向きの下流端部に近接する位置に設けられている。上記傾斜面には、上記突出部が収容される収容部が形成されている。複数の上記給送コロは、上記幅方向において上記収容部を挟む位置に配置されている。
【００１７】
給送されるシートが収容部の端部と当接すると、シートは、当該端部から抵抗を受けてしまう。しかし、本構成によれば、給送コロが幅方向において収容部を挟む位置に配置されているため、収容部を挟む位置に配置された２つの給送コロに支持されたシートは、収容部の端部と当接しにくい。その結果、シートが収容部の端部から抵抗を受けてしまう可能性を低くすることができる。
【００１８】
(5)  本発明に係る給送装置は、上記傾斜面に配置されており、上記給送部によって上記給送向きに給送されたシートのうち最上のシートを他のシートから分離する分離部を更に備える。上記収容部は、上記幅方向における上記分離部の左右両側に配置されている。複数の上記給送コロは、上記幅方向において上記分離部及び上記収容部の各々を挟む位置に配置されている。
【００１９】
分離部は、シートを他のシートから分離するという機能上、当接したシートに対して抵抗となる。また、上記（４）より、収容部の端部も、当接したシートに対して抵抗となる。しかし、本構成によれば、給送コロが幅方向において収容部及び分離部を挟む位置に配置されているため、収容部及び分離部を挟む位置に配置された２つの給送コロに支持されたシートは、収容部の端部及び分離部と当接しにくい。その結果、シートが収容部の端部及び分離部から抵抗を受けてしまう可能性を低くすることができる。
【００２０】
(6)  本発明に係る給送装置は、上記傾斜面に配置されており、上記給送部によって上記給送向きに給送されたシートのうち最上のシートを他のシートから分離する分離部を更に備える。複数の上記給送コロは、上記幅方向において上記分離部を挟む位置に配置されている。
【００２１】
分離部は、上記（５）より、当接したシートに対して抵抗となる。しかし、本構成によれば、給送コロが幅方向において分離部を挟む位置に配置されているため、分離部を挟む位置に配置された２つの給送コロに支持されたシートは、分離部と当接しにくい。その結果、シートが分離部から抵抗を受けてしまう可能性を低くすることができる。
【００２２】
(7)  上記分離部は、上記幅方向において間隔を空けて複数配置されている。本構成によっても、上記（６）と同様に、シートが分離部から抵抗を受けてしまう可能性を低くすることができる。
【００２３】
(8)  上記給送部は、上記載置部に当接する給送ローラと、上記給送ローラを回転可能に支持する支持部と、上記給送ローラよりも上記載置部における上記給送向きの上流側に設けられており、上記支持部を、上記給送ローラが上記載置部に対して接離する方向に揺動可能に支持する軸部と、を備える。上記給送コロは、上記載置部に載置可能な最大数のシートが上記載置部に重畳して載置されている場合における当該最大数のシートの最高位置よりも下側に、少なくとも１個設けられている。
【００２４】
本構成のように、支持部が揺動するように給送部が構成されている場合、載置部に載置されているシートの枚数が少ないときに給送ローラがシートを給送する力は、載置部に載置されているシートの枚数が多いときに給送ローラがシートを給送する力よりも大きい。そこで、本構成では、給送コロは、載置部に最大数のシートが載置されている場合のシートの最高位置よりも下側に、少なくとも１個設けられている。これにより、載置部に載置されているシートの枚数が少ないときに給送ローラによって給送されたシートが当接する給送コロの数は、載置部に載置されているシートの枚数が多いときに給送ローラによって給送されたシートが当接する給送コロの数よりも多くなる。その結果、シートが強い力で給送されることにより当該シートの傾斜面に対する押し付け力が強くなることによって当該シートが傾斜部から受ける抵抗が大きくなるときには、当該シートと当接する給送コロの数を増加させて、当該シートが傾斜部から受ける抵抗を緩和することができる。
【００２５】
(9)  上記傾斜面における複数の上記給送コロの各々の下側に近接する位置には、上記給送コロに近い程に上記傾斜面から大きく突出するように傾斜するリブが設けられている。上記案内向きの下流側に配置されている上記給送コロに対応する上記リブは、上記案内向きの上流側に配置されている上記給送コロに対応する上記リブよりも、上記幅方向の長さが長い。
【００２６】
上記（８）で説明したように、支持部が揺動するように給送部が構成されている場合、載置部に載置されているシートの枚数が多い程、給送ローラがシートを給送する力は小さくなる。すると、載置部に載置されているシートの枚数が多い場合、給送部によって給送されたシートは、給送コロに支持されずに、給送コロと傾斜面との隙間に入り込んでしまうおそれがある。そこで、本構成によれば、載置部に載置されているシートの枚数が多い場合、給送部によって給送されたシートが当接するリブ、つまり案内向きの下流側に配置されている給送コロに対応するリブは、幅方向の長さが長く構成されている。これにより、給送されたシートはリブによって給送コロに支持される位置に導かれ易くなるため、給送されたシートが給送コロと傾斜面との隙間に入り込んでしまう可能性を低くすることができる。
【００２７】
(10)  上記案内向きの上流側に配置された上記給送コロは、上記案内向きの下流側に配置された上記給送コロと、上記幅方向において同じ位置に配置されている。本構成によれば、給送コロの回転によって傾斜面を案内されるシートが斜行する可能性を低くすることができる。
【００２８】
(11)  本発明に係る給送装置は、上記トレイが挿抜される筐体を更に備える。上記傾斜部は、取付部を備え、当該取付部によって上記筐体に取り付けられている。上記取付部は、上記幅方向において上記給送コロを挟む位置に形成されている。
【００２９】
本構成によれば、取付部は、幅方向において給送コロが配置されていない箇所に形成されている。そのため、傾斜部を筐体に対して強固に固定することができる。
【００３０】
(12)  本発明に係る給送装置は、上記給送部によって上記給送向きに給送されたシートを案内する搬送路を形成する経路部材と、上記搬送路に設けられており、上記幅方向において複数の上記給送コロの配置範囲よりも外側まで連続して延設されており、上記給送部によって上記給送向きに給送されたシートを搬送向きに搬送する搬送ローラと、上記搬送ローラよりも上記搬送向きの上流側の上記経路部材に一部が上記搬送路に露出するように配置されており、上記搬送路を案内されるシートと当接することによって回転する複数の搬送コロと、を更に備える。上記搬送コロの少なくとも一部は、上記幅方向において上記給送コロが配置されている範囲の両外側に配置されている。上記搬送コロの全ては、上記幅方向において上記搬送ローラが配置されている範囲よりも内側に配置されている。
【００３１】
本構成によれば、シートが案内される向きの上流側から下流側にかけて、給送コロ、搬送コロ、及び搬送ローラの順序で配置されている。また、給送コロ、搬送コロ、及び搬送ローラの幅方向における配置範囲は、下流側に配置されたもの程大きい。これにより、給送ローラによって給送されたシートを搬送ローラへ案内し易くすることができる。
【００３２】
(13)  本発明に係る給送装置は、上記給送部によって上記給送向きに給送されたシートを案内する湾曲された搬送路を形成する湾曲経路部材と、上記搬送路に設けられており、正逆転可能であり、正転または逆転することによって上記給送向きに給送されたシートを搬送向きに搬送する搬送ローラと、を更に備える。
【００３３】
本構成の場合、搬送ローラは、シートを案内向きに搬送する回転向きと逆向きに回転することによって、給送ローラによって給送されるシートの斜行矯正である所謂レジスト処理を実行することができる。レジスト処理が実行された場合、シートは、より強い力で傾斜面に貼り付けられる。よって、このような構成は、本発明の機能を実現するための好適な構成である。
【００３４】
(14)  上記給送部は、上記載置部に当接する給送ローラを備える。上記給送ローラは、上記幅方向において上記給送コロが配置されている範囲の内側に配置されている。
【００３５】
本構成によれば、シートが案内される向きの上流側から下流側にかけて、給送ローラ及び給送コロの順序で配置されている。また、給送コロの幅方向における配置範囲は、給送ローラの幅方向における配置範囲よりも大きい。これにより、給送ローラによって給送されたシートを給送コロよりも下流側へ案内し易くすることができる。
【発明の効果】
【００３６】
本発明によれば、シートが傾斜部の傾斜面に貼り付く可能性を低くすることができる。その結果、本発明によれば、トレイに載置されたシートを円滑に給送することができる。
【図面の簡単な説明】
【００３７】
【図１】図１は、複合機１０の斜視図である。
【図２】図２は、複合機１０における下側の縦断面図である。
【図３】図３は、給送トレイ２０と傾斜部３３と外側ガイド部材１９との斜視図である。
【図４】図４は、傾斜部３３を斜め前から見た斜視図である。
【図５】図５は、傾斜部３３を斜め後から見た斜視図である。
【図６】図６は、複合機１０における下側の平面図である。
【図７】図７は、給送ローラ２５と搬送ローラ６０と給送コロ３４と搬送コロ３５との配置関係を説明するための模式図である。
【図８】図８は、複合機１０における下側を模式的に示す縦断面図である。
【図９】図９は、給送トレイ２０の斜視図である。
【図１０】図１０は、変形例３における傾斜部３３と給送コロ３４との配置関係を模式的に示す平面図である。
【発明を実施するための形態】
【００３８】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが「向き」と表現され、矢印の起点と終点とを結ぶ線上の往来が「方向」と表現される。また、以下の説明では、複合機１０が使用可能に設置された状態（図１の状態）を基準として上下方向７が定義され、開口１３が形成された側を手前側（正面）として前後方向８が定義され、複合機１０を手前側から見て左右方向９が定義される。
【００３９】
［複合機１０の全体構造］
図１に示されるように、複合機１０（本発明の給送装置の一例）は、概ね直方体に形成されており、筐体１４を備えている。複合機１０は、ファクシミリ機能及びプリント機能などの各種の機能を有している。ここで、プリント機能として、記録用紙１２（本発明のシートの一例、図８参照）の少なくとも一方の面に画像を記録する機能である。
【００４０】
筐体１４の正面には開口１３が形成されている。開口１３の奥には、空間１５（図２参照）が形成されている。後述する給送トレイ２０（本発明のトレイの一例）が、前後方向８にスライドすることによって、開口１３を通じて空間１５に挿抜可能である。つまり、給送トレイ２０は、筐体１４に対して装着可能である。なお、図１では、給送トレイ２０は、上下二段設けられているが、以下の説明では、上段の給送トレイ２０についてのみ言及し、下段の給送トレイ２０については、上段の給送トレイ２０と概ね同構成であるため、その説明を省略する。
【００４１】
図８に示されるように、筐体１４の内部には、搬送ローラ対５７、排出ローラ対５８、搬送コロ３５、記録部２４、給送トレイ２０、排出トレイ２１、給送部２８、傾斜部３３、及び給送コロ３４などが配置されている。
【００４２】
給送トレイ２０の底板７５（本発明の載置部の一例）に支持された記録用紙１２は、後述する給送部２８によって後向き、つまり図８に破線で示される給送向き１７に送られることによって後述する搬送路６５に給送され、搬送路６５を図８に一点鎖線で示される搬送向き１６（本発明の案内向きの一例）に搬送される。搬送路６５を搬送される記録用紙１２の搬送向き１６の先端が、搬送路６５に設けられた搬送ローラ対５７に到達すると、当該記録用紙１２は、搬送ローラ対５７によって搬送路６５を記録部２４へ向けて搬送される。記録部２４の直下へ到達した記録用紙１２は、記録部２４によって画像記録される。画像記録された記録用紙１２は、排出ローラ対５８によって、給送トレイ２０の上方に設けられた排出トレイ２１に排出される。なお、排出トレイ２１は、給送トレイ２０と一体に前後方向８にスライドする。
【００４３】
［搬送路６５］
図８に示されるように、筐体１４に装着された給送トレイ２０の後端部から搬送路６５が延出されている。搬送路６５は、記録用紙１２を案内する経路である。搬送路６５は、給送トレイ２０の後端部から延出された湾曲状の経路である湾曲路６５Ａと、湾曲路６５Ａの搬送向き１６の下流端と連続した経路であり且つ直線状の経路である直線路６５Ｂとで構成されている。給送トレイ２０に載置された記録用紙１２は、湾曲路６５Ａを下方から上方へＵターンするように搬送された後、記録部２４に至る。記録部２４により画像記録が行われた記録用紙１２は、直線路６５Ｂを搬送されて排出トレイ２１に排出される。
【００４４】
湾曲路６５Ａは、外側ガイド部材１９と内側ガイド部材１８とによって形成されている。外側ガイド部材１９と内側ガイド部材１８とは、本発明の湾曲経路部材の一例である。直線路６５Ｂのうち、記録部２４が配置されている以外の部分は、上側ガイド部材５４と下側ガイド部材５５とによって形成されており、記録部２４が配置されている部分は、記録部２４とプラテン４２とによって形成されている。各ガイド部材１９、１８、５４、５５と記録部２４とプラテン４２とは、本発明の経路部材の一例である。
【００４５】
［搬送コロ３５］
図３及び図６に示されるように、外側ガイド部材１９には、４個の搬送コロ３５が取り付けられている。なお、本実施形態では、搬送コロ３５が４個設けられているが、搬送コロ３５の数は４個に限らない。
【００４６】
４個の搬送コロ３５は、左右方向９に沿って間隔を空けて複数設けられている。以下に詳述する。外側ガイド部材１９の上下方向７の概ね中央部には、４個の開口９７が形成されている。各開口９７は、左右方向９において、相互に間隔を空けて形成されている。各開口９７の後側には、搬送コロ３５の軸３６（図８参照）が左右方向９に沿って配置されている。それぞれの軸３６の左右方向９の中央部には、搬送コロ３５が、軸３６と一体回転可能に取り付けられている。また、外側ガイド部材１９における各開口９７の後側には、支持部材（不図示）が取り付けられている。当該支持部材には、軸３６が回転可能に支持される。
【００４７】
上記のように軸３６が支持部材に支持された状態において、搬送コロ３５は、その周面の一部が外側ガイド部材１９から前側に突出された状態となる。つまり、搬送コロ３５の周面の一部は、外側ガイド部材１９から湾曲路６５Ａに向かって露出された状態となる。これにより、搬送コロ３５は、給送部２８によって湾曲路６５Ａに給送された記録用紙１２と当接して回転する。
【００４８】
［搬送ローラ対５７及び排出ローラ対５８］
図８に示されるように、搬送路６５における湾曲路６５Ａよりも搬送向き１６の下流側には、搬送ローラ６０及びピンチローラ６１よりなる搬送ローラ対５７が設けられ、搬送路６５における直線路６５Ｂに排出ローラ６２及び拍車６３よりなる排出ローラ対５８が設けられている。
【００４９】
図７に示されるように、搬送ローラ６０は、左右方向９に沿って延びた一本の軸５１と、当該軸５１を覆うように取り付けられたローラ部５２とを備えている。ローラ部５２は、軸５１の左端部から右端部までに亘って左右方向９に沿って延びている。記録用紙１２は、ローラ部５２の表面と当接する。なお、本実施形態においては、搬送ローラ６０の左右方向９における配置領域は、搬送可能な最大サイズの記録用紙１２の通過領域よりも若干広く形成されている。具体的には、搬送路６５を搬送している当該最大サイズの記録用紙１２の右端は、ローラ部５２の右端よりも左側且つローラ部５２の左端よりも右側に位置する。
【００５０】
しかしながら、搬送ローラ６０は、左右方向９において複数のローラが配置される構成であってもよい。なお、上記のように搬送ローラ６０が複数のローラによって構成されている場合であっても、搬送ローラ６０の左右方向９における配置領域は、搬送可能な最大サイズの記録用紙１２の通過領域よりも若干広く形成されている。具体的には、搬送路６５を搬送している当該最大サイズの記録用紙１２の右端は、複数のローラのうち最も右側のローラのローラ部５２の右端よりも左側に位置し、且つ複数のローラのうち最も左側のローラのローラ部５２の左端よりも右側に位置する。
【００５１】
各ローラ対５７、５８は、記録用紙１２を挟持する。各ローラ６０、６２は、モータ（不図示）から正逆転の駆動力が付与されて回転する。正転または逆転の一方の駆動力が付与された各ローラ６０、６２は、記録用紙１２を搬送向き１６に搬送させる回転向きに回転する。一方、正転または逆転の他方の駆動力が付与された各ローラ６０、６２は、記録用紙１２を搬送向き１６と逆向きに搬送させる回転向きに回転する。つまり、各ローラ６０、６２は、正逆転可能である。
【００５２】
なお、搬送ローラ６０は、記録用紙１２を搬送向き１６と逆向きに搬送させる回転向きに回転することにより、記録用紙１２の斜行を是正する所謂レジスト処理を実行することができる。詳細には、搬送ローラ６０は、記録用紙１２の搬送向き１６の先端が搬送ローラ６０と当接した状態において予め設定された時間だけ、記録用紙１２を搬送向き１６と逆向きに搬送させる回転向きに回転される。これにより、記録用紙１２の斜行が是正される。その後、搬送ローラ６０は、記録用紙１２を搬送向き１６に搬送させる回転向きに回転される。これにより、斜行が是正された記録用紙１２は、搬送向き１６に搬送される。
【００５３】
［記録部２４］
図８に示されるように、直線路６５Ｂにおける搬送ローラ対５７よりも搬送向き１６の下流側且つ排出ローラ対５８よりも搬送向き１６の上流側には、記録部２４が設けられている。本実施形態において、記録部２４は、インクジェット方式によって、給送部２８によって湾曲路６５Ａへ給送され搬送ローラ対５７によって直線路６５Ｂを搬送される記録用紙１２に画像を記録する。なお、記録部２４が記録用紙１２に画像を記録する方式は、インクジェット方式に限らず、電子写真方式などの他の公知の方式であってもよい。
【００５４】
［給送トレイ２０］
図８に示されるように、給送トレイ２０は、筐体１４に装着された状態において、記録部２４の下方に配置されている。また、給送トレイ２０が筐体１４に装着された状態において、給送トレイ２０に載置された記録用紙１２が湾曲路６５Ａへ供給可能となる。一方、給送トレイ２０が筐体１４から脱抜された状態において、給送トレイ２０への記録用紙１２の補充が可能となる。
【００５５】
図９に示されるように、給送トレイ２０は、上側が開放された概ね直方体の箱状に形成されている。給送トレイ２０は、複数の記録用紙１２が重畳して載置される底板７５と、底板７５の後端部、つまり給送向き１７の下流側の端部位置から立設、つまり上向きに突出された突出板７６（本発明の突出部の一例）と、底板７５の左右方向９（本発明の幅方向の一例）の両端部から立設された右側板７７及び左側板７８と、底板７５の前端部から立設された前板７４とを備えている。
【００５６】
突出板７６は、給送トレイ２０が筐体１４から脱抜された状態において、底板７５に載置された記録用紙１２の後端と当接する。これにより、給送トレイ２０が筐体１４から脱抜された状態のときにおける記録用紙１２の後側からの落下を防止できる。なお、本実施形態では、突出板７６は２つ設けられているが、突出板７６は１つであってもよいし、３つ以上であってもよい。つまり、突出板７６は、少なくとも１つ設けられていればよい。
【００５７】
［給送部２８］
図２及び図８に示されるように、筐体１４に装着された状態の給送トレイ２０の上方且つ記録部２４の下方には、給送部２８が設けられている。給送部２８は、給送ローラ２５、アーム２６（本発明の支持部の一例）、及び軸部２７を備えている。
【００５８】
給送ローラ２５は、アーム２６の先端側に回転可能に支持されている。アーム２６は、筐体１４に支持された軸部２７に回動可能に支持されている。アーム２６は、軸部２７に支持されている側を前側として後方に延出されている。つまり、軸部２７は、給送ローラ２５よりも底板７５における給送向き１７の上流側に設けられている。アーム２６は、自重或いはバネ等による弾性力によって給送トレイ２０側、つまり下方へ回動付勢されている。これにより、給送ローラ２５は、底板７５に記録用紙１２が載置されていない場合、給送トレイ２０の底板７５に当接する。また、給送ローラ２５は、底板７５に記録用紙１２が載置されている場合、載置された記録用紙１２のうち最上の記録用紙１２に当接する。以上より、軸部２７は、アーム２６を、給送ローラ２５が底板７５に対して接離する方向に揺動可能に支持している。
【００５９】
給送ローラ２５は、モータ（不図示）から駆動力が付与されて回転する。なお、当該モータは、各ローラ６０、６２に駆動力を付与するモータと同一であってもよいし異なっていてもよい。これにより、給送ローラ２５は、底板７５に支持された記録用紙１２をピックアップして搬送路６５へ向けて給送向き１７に給送する。なお、給送トレイ２０が筐体１４に装着されているとき、突出板７６は、後述する傾斜部３３（図４参照）に形成された凹部３７（本発明の収容部の一例）に収納される（図３参照）。これにより、底板７５に載置された記録用紙１２が給送部２８によって給送されると、当該記録用紙１２は、傾斜部３３の前側の面である傾斜面３９に沿って案内されて、搬送路６５へ導かれる。
【００６０】
なお、給送トレイ２０が筐体１４に対して挿抜される際、アーム２６の基端側から左右方向９の一方に延びた延出部（不図示）が、左側板７８（図９参照）と当接して上方に回動する。これにより、上記挿抜が、給送部２８に妨げられることなく実行される。
【００６１】
［傾斜部３３］
図２及び図８に示されるように、傾斜部３３は、筐体１４において給送トレイ２０が挿入される空間１５の奥部に設けられている。つまり、傾斜部３３は、筐体１４に設けられており、給送トレイ２０が筐体１４に装着された状態において、給送部２８よりも給送向き１７の下流側に配置されている。詳細には、傾斜部３３は、給送トレイ２０が筐体１４に装着された状態において、給送トレイ２０の給送向き１７の下流端部に近接する位置に設けられている。
【００６２】
図４に示されるように、傾斜部３３の前側には、筐体１４の底部から後方斜め上向きに立設された傾斜面３９が形成されている。つまり、傾斜面３９は、後側（給送向き１７の下流側）が前側（給送向き１７の上流側）よりも上方となるよう傾斜している。傾斜面３９は、記録用紙１２を搬送路６５（図８参照）へ案内する役割を担う。
【００６３】
図６に示されるように、傾斜面３９は、左右方向９の中央部である程、前側に位置しており、左右方向９の端部である程、後側に位置している。つまり、傾斜面３９は、平面視において、左右方向９の中央部が左右方向９の端部よりも給送向き１７の上流側に位置するように湾曲している。
【００６４】
図４に示されるように、傾斜面３９の中央には、傾斜面３９から突出された複数の分離歯４０が搬送向き１６に沿って並んで配置されている。複数の分離歯４０は、本発明の分離部の一例である。底板７５から給送部２８によって給送向き１７に給送された複数の記録用紙１２が分離歯４０と当接すると、各記録用紙１２が分離される。これにより、給送ローラ２５と当接している最上の記録用紙１２だけが傾斜面３９に沿って上方の搬送路６５へ案内される。つまり、分離歯４０は、給送部２８によって給送向き１７に給送された記録用紙１２のうち最上の記録用紙１２を他の記録用紙１２から分離する。なお、本発明の分離部として、分離歯４０の代わりに、記録用紙１２に対して摩擦係数が十分に大きい樹脂などが用いられてもよい。
【００６５】
傾斜面３９には、後向きに凹んだ凹部３７が形成されている。凹部３７は、給送トレイ２０の突出板７６の各々に対応して設けられている。つまり、本実施形態において、凹部７３は、突出板７６と同数の２つ設けられている。
【００６６】
凹部３７は、左右方向９において、分離歯４０の左右両側に１つずつ配置されている。凹部３７の左右方向９の長さは、給送トレイ２０の突出部７６の左右方向９の長さよりも若干長く、凹部３７の上下方向７の長さは、突出部７６の上下方向７の長さよりも若干長く構成されている。また、凹部３７の奥行きは、突出部７６の前後方向８の長さよりも若干長く構成されている。
【００６７】
また、凹部３７の左右方向９の位置は、給送トレイ２０の突出板７６の左右方向９の位置と同位置である。また、給送トレイ２０が筐体１４に装着された状態において、給送トレイ２０の突出板７６の前後方向８の位置は、傾斜面３９の前端よりも後側に位置する。以上により、図３に示されるように、給送トレイ２０が筐体１４に装着された状態において、給送トレイ２０の突出板７６は、傾斜面３９の凹部３７に収容される。
【００６８】
図５に示されるように、傾斜部３３における傾斜面３９の裏側の面には、当該面から後方に突出された複数の取付部４１が設けられている。一方、筐体１４を構成するフレームには、取付部４１と対応する位置に、取付部４１と嵌合可能な形状の凹み或いは開口（不図示）が設けられている。取付部４１が当該凹み或いは当該開口と嵌合することによって、傾斜部３３は筐体１４に取り付けられる。
【００６９】
本実施形態において、取付部４１は、４つ設けられている。４つの取付部４１は、概ね左右方向９に並んで間隔を空けて配置されている。また、４つの取付部４１は、左右方向９において後述する給送コロ３４を挟んでいる。詳細には、４つの取付部４１のうち、右側２つの取付部４１は、最も右側に配置された給送コロ３４を挟んでいる。また、４つの取付部４１のうち、左側２つの取付部４１は、最も左側に配置された給送コロ３４を挟んでいる。また、４つの取付部４１のうち、左右方向９における中央２つの取付部４１は、左右方向９における中央に配置された２つの給送コロ３４を挟んでいる。なお、取付部４１は、３つ以下でも５つ以上でもよい。また、取付部４１は、左右方向９において給送コロ３４を挟む位置に形成されているならば、概ね左右方向９に並んだ配置以外の配置であってもよい。
【００７０】
［給送コロ３４］
図４及び図５に示されるように、傾斜部３３には、複数の給送コロ３４が取り付けられている。本実施形態では、給送コロ３４が８個設けられている。８個の給送コロ３４は、搬送向き１６において２つ且つ左右方向９において４つ、それぞれ間隔を空けて設けられている。なお、給送コロ３４の数は、８個に限らない。また、給送コロ３４の搬送向き１６における数は２つに限らず、給送コロ３４の左右方向９における数は４つに限らない。
【００７１】
８つの給送コロ３４のうち、下側（搬送向き１６の上流側）に配置された４つの給送コロ３４の各々と、上側（搬送向き１６の下流側）に配置された４つの給送コロ３４の各々とは対応しており、対応した各給送コロ３４同士の左右方向９の位置は同位置である。つまり、下側に配置された給送コロ３４は、上側に配置された給送コロ３４と、左右方向９において同じ位置に配置されている。
【００７２】
８個の給送コロ３４のうち、下側に配置された４つの給送コロ３４は、図８に示されるように、底板７５に載置可能な最大数の記録用紙１２が底板７５に重畳して載置されている場合における当該最大数の記録用紙１２の最高位置ＰＭＡＸよりも下側に設けられている。なお、最高位置ＰＭＡＸよりも下側に配置された給送コロ３４の数は４つに限らず、最高位置ＰＭＡＸよりも下側に少なくとも１個の給送コロ３４が配置されていればよい。
【００７３】
図４に示されるように、左右方向９における給送コロ３４の位置は、分離歯４０及び凹部３７の各々を挟む位置である。換言すると、８個の給送コロ３４は、左右方向９において分離歯４０及び凹部３７の各々を挟む位置に配置されている。詳細には、左右方向９に並んで配置された４つの給送コロ３４のうち、右側２つの給送コロ３４は、２つの凹部３７のうち右側の凹部３７を挟んでいる。また、左右方向９に並んで配置された４つの給送コロ３４のうち、左側２つの給送コロ３４は、２つの凹部３７のうち左側の凹部３７を挟んでいる。すなわち、凹部３７の左右方向９における両側に、給送コロ３４が配置されている。また、左右方向９に並んで配置された４つの給送コロ３４のうち中央２つの給送コロ３４は、分離歯４０を挟んでいる。すなわち、分離歯４０の左右方向９における両側に、給送コロ３４が配置されている。
【００７４】
以下、給送コロ３４の構成及び給送コロ３４の傾斜部３３への取付について詳述する。図５に示されるように、傾斜面３９の上端には、下側に凹んだ４つの凹部４３が形成されている。また、傾斜面３９における凹部４３の下側、つまり搬送向き１６の上流側には、４つの開口４４が形成されている。各凹部４３及び各開口４４の後側には、給送コロ３４の軸４５が左右方向９に沿って配置されている。
【００７５】
図４及び図５に示されるように、各軸４５の左右方向９の中央部には、給送コロ３４が、軸４５を中心として軸４５と一体回転可能に取り付けられている。また、図５に示されるように、傾斜面３９の裏側の面における各凹部４３及び各開口４４の後方には、支持部材４６が取り付けられている。支持部材４６は、軸４５を回転可能に支持する。
【００７６】
上記のように軸４５が支持部材４６に支持された状態において、給送コロ３４の一部は、図２、図４、及び図８に示されるように、傾斜面３９から突出した状態となる。詳細には、凹部４３に配置された給送コロ３４の周面の前側及び上側は、傾斜面３９から搬送路６５に向かって露出した状態となる。また、開口４４に配置された給送コロ３４の周面の前側は、傾斜面３９から搬送路６５に向かって露出した状態となる。以上より、給送コロ３４は、搬送路６５に給送された記録用紙１２と当接することによって回転する。
【００７７】
［リブ４７、４８］
図４に示されるように、傾斜部３３の傾斜面３９には、リブ４７、４８が設けられている。リブ４７は、凹部４３の下端から下向きに延設されている。つまり、リブ４７は、凹部４３に配置された給送コロ３４の各々の下側に近接する位置に設けられている。リブ４８は、開口４４の下端から下向きに延設されている。つまり、リブ４７は、開口４４に配置された給送コロ３４の各々の下側に近接する位置に設けられている。
【００７８】
リブ４７、４８は、搬送向き１６の下流側（上側）である程、つまり直上に配置された給送コロ３４に近い程に傾斜面３９から大きく突出するように傾斜している。また、搬送向き１６の下流側に配置されている給送コロ３４に対応するリブ４８は、搬送向き１６の上流側に配置されている給送コロ３４に対応するリブ４７よりも、左右方向９の長さが長い。換言すると、リブ４８は、リブ４７よりも幅広である。
【００７９】
［給送ローラ２５、給送コロ３４、搬送コロ３５、及び搬送ローラ６０の配置］
図７に示されるように、各ローラ２５、６０及び各コロ３４、３５は、搬送向き１６の上流側から下流側に亘って、給送ローラ２５、給送コロ３４、搬送コロ３５、及び搬送ローラ６０の順序で配置されている。そして、各ローラ２５、６０及び各コロ３４、３５は、搬送向き１６の下流側に配置されているもの程、左右方向９において広範囲に亘って配置されている。以下に詳述する。
【００８０】
図３及び図７に示されるように、左右方向９において、給送ローラ２５の右端は、最も右側に配置された給送コロ３４の右端よりも左側且つ最も左側に配置された給送コロ３４の左端よりも右側に配置されている。つまり、給送ローラ２５は、左右方向９において給送コロ３４が配置されている範囲の内側に配置されている。
【００８１】
また、最も右側に配置された搬送コロ３５は、その右端が最も右側に配置された給送コロ３４の右端よりも右側となるように配置されている。また、最も左側に配置された搬送コロ３５は、その左端が最も左側に配置された給送コロ３４の左端よりも左側となるように配置されている。なお、本実施形態では、４つの搬送コロ３５のうち左右方向９の両端の搬送コロ３５のみが、給送コロ３４よりも左右方向９の外側となるように配置されているが、４つの搬送コロ３５の全てが、給送コロ３４よりも左右方向９の外側となるように配置されていてもよい。つまり、搬送コロ３５の少なくとも一部が、左右方向９において給送コロ３４が配置されている範囲の両外側に配置されていればよい。
【００８２】
また、最も右側に配置された搬送コロ３５の右端は、搬送ローラ６０のローラ部５２の右端よりも左右方向９の左側に位置しており、最も左側に配置された搬送コロ３５の左端は、搬送ローラ６０のローラ部５２の左端よりも左右方向９の右側に位置している。つまり、搬送コロ３５の全ては、左右方向９において搬送ローラ６０のローラ部５２が配置されている範囲よりも内側に配置されている。また、以上より、搬送ローラ６０のローラ部５２は、左右方向９において複数の給送コロ３４の配置範囲よりも外側まで連続して延設されている。
【００８３】
［実施形態の効果］
本実施形態によれば、複数の給送コロ３４の配置範囲が左右方向９及び搬送向き１６に沿った平面である傾斜面３９に沿って拡がっている。そのため、複数の給送コロ３４は、記録用紙１２を平面で支持することができる。よって、本実施形態によれば、記録用紙１２が傾斜部３３の傾斜面３９に貼り付く可能性を低くすることができる。その結果、記録用紙１２の給送不良が発生する可能性を低くすることができ、給送トレイ２０の底板７５に載置された記録用紙１２を円滑に給送することができる。
【００８４】
また、本実施形態によれば、給送されて傾斜部３３に到達した記録用紙１２は、左右方向９に湾曲した傾斜面３９の一部とのみ、例えば左右方向９の中央部とのみ当接する。その結果、記録用紙１２が傾斜面３９を搬送向き１６に送られる際に、記録用紙１２が傾斜部３３から受ける抵抗を小さくすることができる。
【００８５】
また、分離歯４０は、記録用紙１２を他の記録用紙１２から分離するという機能上、当接した記録用紙１２に対して抵抗となる。また、給送される記録用紙１２が凹部３７の端部と当接すると、記録用紙１２は、当該端部から抵抗を受けてしまう。しかし、本実施形態によれば、給送コロ３４が左右方向９において凹部３７及び分離歯４０を挟む位置に配置されているため、凹部３７及び分離歯４０を挟む位置に配置された２つの給送コロ３４に支持された記録用紙１２は、凹部３７の端部及び分離歯４０と当接しにくい。その結果、記録用紙１２が凹部３７の端部及び分離歯４０から抵抗を受けてしまう可能性を低くすることができる。
【００８６】
また、本実施形態のように、アーム２６が揺動するように給送部２８が構成されている場合、底板７５に載置されている記録用紙１２の枚数が少ないときに給送ローラ２５が記録用紙１２を給送する力は、底板７５に載置されている記録用紙１２の枚数が多いときに給送ローラ２５が記録用紙１２を給送する力よりも大きい。そこで、本実施形態では、給送コロ３４は、底板７５に最大数の記録用紙１２が載置されている場合の記録用紙１２の最高位置ＰＭＡＸよりも下側に、少なくとも１個設けられている。これにより、底板７５に載置されている記録用紙１２の枚数が少ないときに給送ローラ２５によって給送された記録用紙１２が当接する給送コロ３４の数は、底板７５に載置されている記録用紙１２の枚数が多いときに給送ローラ２５によって給送された記録用紙１２が当接する給送コロ３４の数よりも多くなる。その結果、記録用紙１２が強い力で給送されることにより当該記録用紙１２の傾斜面３９に対する押し付け力が強くなることによって当該記録用紙１２が傾斜部３３から受ける抵抗が大きくなるときには、当該記録用紙１２と当接する給送コロ３４の数を増加させて、当該記録用紙１２が傾斜部３３から受ける抵抗を緩和することができる。
【００８７】
また、アーム２６が揺動するように給送部２８が構成されている場合、底板７５に載置されている記録用紙１２の枚数が多い程、給送ローラ２５が記録用紙１２を給送する力は小さくなる。すると、底板７５に載置されている記録用紙１２の枚数が多い場合、給送部２８によって給送された記録用紙１２は、給送コロ３４に支持されずに、給送コロ３４と傾斜面３９との隙間に入り込んでしまうおそれがある。そこで、本実施形態によれば、底板７５に載置されている記録用紙１２の枚数が多い場合、給送部２８によって給送された記録用紙１２が当接するリブ４８、つまり搬送向き１６の下流側に配置されている給送コロ３４に対応するリブ４８は、左右方向９の長さがリブ４７よりも長く構成されている。これにより、給送された記録用紙１２はリブ４８によって給送コロ３４に支持される位置に導かれ易くなるため、給送された記録用紙１２が給送コロ３４と傾斜面３９との隙間に入り込んでしまう可能性を低くすることができる。
【００８８】
また、本実施形態によれば、搬送向き１６の上流側に配置された給送コロ３４と下流側に配置された給送コロ３４との左右方向９の位置が同位置であるため、給送コロ３４の回転によって傾斜面３９を案内される記録用紙１２が斜行する可能性を低くすることができる。
【００８９】
また、本実施形態によれば、取付部４１は、左右方向９において給送コロ３４が配置されていない箇所に形成されている。そのため、傾斜部３３を筐体１４に対して強固に固定することができる。
【００９０】
また、本実施形態によれば、記録用紙１２が案内される向きの上流側から下流側にかけて、給送コロ３４、搬送コロ３５、及び搬送ローラ６０の順序で配置されている。また、給送コロ３４、搬送コロ３５、及び搬送ローラ６０の左右方向９における配置範囲は、下流側に配置されたもの程大きい。これにより、給送ローラ２５によって給送された記録用紙１２を搬送ローラ６０へ案内し易くすることができる。
【００９１】
また、本実施形態の場合、搬送ローラ６０は、記録用紙１２を搬送向き１６に搬送する回転向きと逆向きに回転することによって、給送ローラ２５によって給送される記録用紙１２の斜行矯正である所謂レジスト処理を実行することができる。レジスト処理が実行された場合、記録用紙１２は、より強い力で傾斜面３９に貼り付けられる。よって、このような構成は、本実施形態の機能を実現するための好適な構成である。
【００９２】
また、本実施形態によれば、搬送路６５における搬送向き１６の上流側から下流側にかけて、給送ローラ２５及び給送コロ３４の順序で配置されている。また、給送コロ３４の左右方向９における配置範囲は、給送ローラ２５の左右方向９における配置範囲よりも大きい。これにより、給送ローラ２５によって給送された記録用紙１２を給送コロ３４よりも搬送向き１６の下流側へ案内し易くすることができる。
【００９３】
［変形例１］
上述の実施形態において、分離歯４０は、左右方向９において中央部の１箇所にのみ配置されていたが、分離歯４０は、左右方向９において間隔を空けて複数配置されていてもよい。例えば、分離歯４０は、左右方向９において、４つの給送コロ３４の各々の間の３箇所に配置されていてもよい。上記例のように分離歯４０が配置された場合であっても、上述の実施形態と同様に、記録用紙１２が分離歯４０から抵抗を受けてしまう可能性を低くすることができる。
【００９４】
［変形例２］
上述の実施形態では、傾斜面３９に、分離歯４０と凹部３７とが設けられていたが、分離歯４０及び凹部３７の存在は任意である。例えば、傾斜面３９に、分離歯４０または凹部３７の一方のみが設けられていてもよいし、分離歯４０及び凹部３７の双方が設けられていてもよい。傾斜面３９に凹部３７が設けられている場合、複数の給送コロ３４は、左右方向９において凹部３７を挟む位置に配置されている。また、傾斜面３９に分離歯４０が設けられている場合、複数の給送コロ３４は、左右方向９において分離歯４０を挟む位置に配置されている。なお、凹部３７が設けられていない場合、給送トレイ２０には、突出板７６が設けられていない。
【００９５】
変形例２によっても、上述の実施形態と同様に、記録用紙１２が凹部３７の端部及び分離歯４０から抵抗を受けてしまう可能性を低くすることができる。
【００９６】
［変形例３］
上述の実施形態では、給送コロ３４の軸４５は、左右方向９に沿って配置されていたが、軸４５は、左右方向９に沿って配置されていなくてもよい。詳細には、図１０に示されるように、給送コロ３４の各々の軸４５は、傾斜面３９の左右方向９の端部に近い程に後側となるような向きに傾斜した状態で配置されていてもよい。本実施形態において、給送コロ３４の軸４５は、傾斜面３９における給送コロ３４の配置位置の接面４９に沿って延びている。
【００９７】
変形例３によれば、給送されて傾斜部３３に到達した記録用紙１２は、左右方向９において間隔を空けて配置された複数の給送コロ３４の一部とのみ、例えば左右方向９の中央部に配置された給送コロ３４とのみ当接する。その結果、記録用紙１２が傾斜面３９を搬送向き１６に給送される際に、記録用紙１２が傾斜部３３から受ける抵抗を小さくすることができる。
【符号の説明】
【００９８】
１０・・・複合機
１２・・・記録用紙
１６・・・搬送向き
１７・・・給送向き
２０・・・給送トレイ
２８・・・給送部
３３・・・傾斜部
３４・・・給送コロ
３９・・・傾斜面
４５・・・軸
７５・・・底板
【図１】
2014118248.tif 000003
【図２】
2014118248.tif 000004
【図３】
2014118248.tif 000005
【図４】
2014118248.tif 000006
【図５】
2014118248.tif 000007
【図６】
2014118248.tif 000008
【図７】
2014118248.tif 000009
【図８】
2014118248.tif 000010
【図９】
2014118248.tif 000011
【図１０】
2014118248.tif 000012